(57)【要約】【課題】メンテナンス性に優れ、金型投資等が少なくできるとともに、屋内側または屋外側のどちらからも簡便に取り付けられる防火ダンパー装置および屋外フードを提供することを目的とする。【解決手段】建物の壁面２に設けられる壁面開口部３内に収納され、両端に開口部を設けて通風路Ａを形成する筒状部を有し、内側には通風路Ａを横断するように支軸６を設けたダンパーフレーム枠５と、この支軸６に対して略対称に回動自在に設けられ、開いたときに通風路Ａを閉鎖するように設けられるダンパー７と、このダンパー７を通風路Ａを開放した状態で保持する熱溶融形の温度ヒューズ９と、ダンパーフレーム枠５の一端側に突設する複数の取付け脚１０とを備え、防火ダンパー装置を構成したことにより、構成が簡単でメンテナンス性に優れ、金型投資等が少なくできる。【選択図】図１
2005164186.tif 000002
【特許請求の範囲】
【請求項１】
建物の壁面に設けられる壁面開口部内に収納され、両端に開口部を設けて通風路を形成する筒状部を有するダンパーフレーム枠と、開いたときに前記通風路を閉鎖するように設けられるダンパーと、このダンパーを前記通風路を開放した状態で保持する熱溶融形温度ヒューズと、前記ダンパーフレーム枠の一端側に突設する複数の取付け脚とを備えたことを特徴とする防火ダンパー装置。
【請求項２】
建物に設けられる壁面開口部内に収納され、両端に開口部を設けて通風路が形成される筒状部を有するダンパーフレーム枠と、このダンパーフレーム枠の内側に前記通風路を横断するように設けられた支軸と、この支軸に対して略対称に設けられた２枚のダンパーと、この２枚のダンパーを常時押し広げて、前記通風路を遮断する方向に付勢するスプリングと、このスプリングに抗しつつ、前記ダンパーを繋止する熱溶融形温度ヒューズとからなる防火ダンパー装置であって、前記ダンパーフレーム枠の一端側から延設し、前記建物の内壁または外壁に固定保持する複数の取付け脚を設けたことを特徴とする防火ダンパー装置。
【請求項３】
取付け脚を建物の壁面に固定することを特徴とする請求項１または２に記載の防火ダンパー装置。
【請求項４】
ダンパーフレーム枠の他端側から壁面開口部内に前記ダンパーフレーム枠を挿入したときに、前記ダンパーフレーム枠の一端側に設けられた取付け脚の端部が前記壁面開口部の周辺に当接して建物の壁面に固定されることを特徴とする請求項３に記載の防火ダンパー装置。
【請求項５】
ダンパーフレーム枠を壁面開口部内に収納したときに前記壁面開口部の内側から押圧して取着される取付け手段を設けたことを特徴とする請求項１〜４のいずれかに記載の防火ダンパー装置。
【請求項６】
取付け脚自体を弾性変形させて壁面開口部の内側に押圧させて固定することを特徴とする請求項１〜４のいずれかに記載の防火ダンパー装置。
【請求項７】
取付け脚に屋外フードあるいは室内換気用グリルを取付ける取付け部を設けたことを特徴とする請求項１〜６のいずれかに記載の防火ダンパー装置。
【請求項８】
取付け脚の取付け部を弾性変形させて屋外フードあるいは室内換気用グリルを嵌合取り付けすることを特徴とする請求項７に記載の防火ダンパー装置。
【請求項９】
請求項１〜８のいずれかに記載の防火ダンパー装置を備えた屋外フード。
【請求項１０】
建物の外壁に固定される屋外フードフレームを取付け脚と外壁面とで挟むように固定することを特徴とする請求項９に記載の屋外フード。
【発明の詳細な説明】
【技術分野】
【０００１】
本発明は、火災の類焼などを防ぐための防火区画を貫通する部分、例えば外壁を貫通する通風ダクトに取付ける防火ダンパー装置およびこれを備えた屋外フードに関するものである。
【背景技術】
【０００２】
従来、この種の防火ダンパー装置および屋外フードは、防火ダンパー装置を有したドーナツ形状のフランジと、一体の円筒状の筒部が周接する形でダクトとを接続するよう配置したものが知られている（例えば、特許文献１参照）。
【０００３】
以下、その防火ダンパー装置について図１１ならびに図１２を参照しながら説明する。
【０００４】
図１１に示すように、一般に外壁１０１に室内１０２から屋外１０３に至る開口された開口部１０４を設け、ここに丸形あるいは角形ダクト１０５を貫通配置して固定し、このダクト１０５を介して通風路１０６を形成している。この通風路１０６の屋外側に屋外フード１０７を配し、この屋外フード１０７に設けた防火ダンパー装置１０８を有したドーナツ形状のフランジ１０９と、一体の円筒状の筒部１１０が周接する形でダクト１０５とを接続して、室内には換気装置１１１を必要に応じて設けた構成としている。そして、屋外フード１０７を施工する際には、外壁１０１内のダクト１０５内に周接するように屋外１０３より筒部１１０を挿入し、この筒部１１０に固着された抜け止め金具１１２により外壁１０１に取付けする構成としている。また、ドーナツ形状のフランジ１０９に設けた複数の取付穴１１３を介して外壁１０１にネジ止め固定する構造としている。そして屋外フード１０７はドーナツ形状のフランジ１０９に設けた複数の取付穴１１４にネジ止め固定している構成としていた。
【０００５】
また、他の防火ダンパー装置として、防火ダンパー機能のないダクト外径側接続式の寒冷地仕様の屋外フード１１５が知られていた（例えば特許文献２参照）。
【０００６】
図１２に示すように、屋外フード１１５はダクト外径側に接続され、中間取付防火ダンパー１１６を別個にダクト１１７の通風路１０６に装着する構成としていた。
【特許文献１】特開平１０−３０６９３２号公報
【特許文献２】特開２００３−２０２１４３号公報
【発明の開示】
【発明が解決しようとする課題】
【０００７】
このような従来の防火ダンパー装置１０８では、屋外側開口部１１８の開口端周辺に装着するドーナツ形状のフランジ１０９と、屋外側開口部１１８より通風路１０６に挿着した円筒状の筒部１１０からなる一体のダクト接続フレーム１１９が必要となり、その形状もフードの丸形、深形、角形など形状に応じたフランジ形状部分と一体絞り形状の円筒状の筒部を有するものであった。このような構成では屋外側開口部１１８側に設けられる屋外フード１０７のフード形状に応じてそれぞれのダクト接続フレーム１１９が必要とされ、製造上個々に円筒絞りなどの金型投資が必要となり、製造コストが多大に掛かるという課題があった。
【０００８】
また、壁面１０１への取付けも屋外フード１０７と同様に、屋外側開口部１１８からの一方向からの取り付けに限定され、温度ヒューズ１２０の交換ならびに、防火ダンパー装置１０８の保守メンテナンスが屋外側からしかできないという課題があった。
【０００９】
また、防火ダンパー装置１０８を固定するために、屋外側開口部１１８より通風路１０６に挿着した円筒状の筒部１１０からなる一体のダクト接続フレーム１１９のダクト１０５側に周設する部分に複数個の抜け止め金具１１２を設ける必要があった。
【００１０】
また、屋外フード１０７は、図１１に示すように、屋外フード１０７のフランジ部１２１に設けた複数個の取り付け穴を介して、ドーナツ形状のフランジ１０９に設けた複数の取付け穴１１４にネジ止めしているが、美観上の観点からは好ましくなく、さらに屋外での高所作業となり、ドライバーを使ったネジ止めは作業性が良くないという課題があった。
【００１１】
また、寒冷地仕様の屋外フード１１５においては、図１２に示すように、屋外側開口部１１８より、所定の長さだけ突出させたダクト１１７の開口外周に密着嵌合させるようにシールパッキン１２２を設けて、ダクト１１７から排出する結露水などを外壁側に逆流させない構成をとる場合で防火ダンパー装置が必要とされる場合は、別売の中間取付防火ダンパー１１６を、屋外フード１１５の後方の室内側寄りの通風路１０６内に別途設置する必要があった。
【００１２】
本発明は、このような従来の課題を解決するものであり、構成を簡易化することでメンテナンス性に優れ、金型投資、材料費、部品点数が少なくできるとともに、屋外フードおよび室内側換気用グリルの取り付けが可能で、屋内側または屋外側のどちらからも簡便に取り付けられ、さらには寒冷地仕様でダクトの外側接続を行う屋外フードに有効に機能することもできる防火ダンパー装置および屋外フードを提供することを目的としている。
【課題を解決するための手段】
【００１３】
本発明の防火ダンパー装置は上記目的を達成するために、建物の壁面に設けられる壁面開口部内に収納され、両端に開口部を設けて通風路を形成する筒状部を有するダンパーフレーム枠と、開いたときに前記通風路を閉鎖するように設けられるダンパーと、このダンパーを前記通風路を開放した状態で保持する熱溶融形温度ヒューズと、前記ダンパーフレーム枠の一端側に突設する複数の取付け脚とを備えたものである。
【００１４】
また、建物に設けられる壁面開口部内に収納され、両端に開口部を設けて通風路が形成される筒状部を有するダンパーフレーム枠と、このダンパーフレーム枠の内側に前記通風路を横断するように設けられた支軸と、この支軸に対して略対称に設けられた２枚のダンパーと、この２枚のダンパーを常時押し広げて、前記通風路を遮断する方向に付勢するスプリングと、このスプリングに抗しつつ、前記ダンパーを繋止する熱溶融形温度ヒューズとからなる防火ダンパー装置であって、前記ダンパーフレーム枠の一端側から延設し、前記建物の内壁または外壁に固定保持する複数の取付け脚を設けたものである。
【００１５】
また、取付け脚は建物の壁面に固定するものである。
【００１６】
また、ダンパーフレーム枠の他端側から壁面開口部内に前記ダンパーフレーム枠を挿入したときに、前記ダンパーフレーム枠の一端側に設けられた取付け脚の端部が前記壁面開口部の周辺に当接して建物の壁面に固定されるものである。
【００１７】
また、ダンパーフレーム枠を壁面開口部内に収納したときに前記壁面開口部の内側から押圧して取着される取付け手段を設けたものである。
【００１８】
また、取付け脚自体を弾性変形させて壁面開口部の内側に押圧させて固定するものである。
【００１９】
また、取付け脚に屋外フードあるいは室内換気用グリルを取付ける取付け部を設けたものである。
【００２０】
また、取付け脚の取付け部を弾性変形させて屋外フードあるいは室内換気用グリルを嵌合取り付けするものである。
【００２１】
本発明の屋外フードは、上述の防火ダンパー装置を備えたものである。
【００２２】
また、本発明の屋外フードは、建物の外壁に固定される屋外フードフレームを取付け脚と外壁面とで挟むように固定するものである。
【００２３】
本発明によれば、構成を簡易化することでメンテナンス性に優れ、金型投資、材料費、部品点数が少なくできるとともに、屋外フードおよび室内側換気用グリルの取り付けが可能で、屋内側または屋外側のどちらからも簡便に取り付けられ、さらには寒冷地仕様でダクトの外側接続を行う屋外フードに有効に機能する防火ダンパー装置および屋外フードを提供することができる。
【発明の効果】
【００２４】
本発明によれば、メンテナンス性に優れ、金型投資、材料費、部品点数が少なくできるとともに、屋内側または屋外側のどちらからも簡便に取り付けられる防火ダンパー装置および屋外フードを提供することができる。
【発明を実施するための最良の形態】
【００２５】
本発明の請求項１に記載の防火ダンパー装置の発明は、建物の壁面に設けられる壁面開口部内に収納され、両端に開口部を設けて通風路を形成する筒状部を有するダンパーフレーム枠と、開いたときに前記通風路を閉鎖するように設けられるダンパーと、このダンパーを前記通風路を開放した状態で保持する熱溶融形温度ヒューズと、前記ダンパーフレーム枠の一端側に突設する複数の取付け脚とを備えたので、ダンパーフレーム枠の一端側に突設する取付け脚により、外壁または室内壁に防火ダンパー装置を固定保持することができ、取付け脚をフードと別個に構成できるため、絞り加工などの金型投資を押さることができて製造コストも低減できる。また、壁面への取付けも換気計画に応じて室内側、屋外側を問わずどちらからも取り付けられ、交換取付けなどのメンテナンス性も向上できる。また、複数の取付け脚を同一形状で構成することもできるので金型投資がていげんできる。
【００２６】
また、請求項２に記載の防火ダンパー装置の発明は、建物に設けられる壁面開口部内に収納され、両端に開口部を設けて通風路が形成される筒状部を有するダンパーフレーム枠と、このダンパーフレーム枠の内側に前記通風路を横断するように設けられた支軸と、この支軸に対して略対称に設けられた２枚のダンパーと、この２枚のダンパーを常時押し広げて、前記通風路を遮断する方向に付勢するスプリングと、このスプリングに抗しつつ、前記ダンパーを繋止する熱溶融形温度ヒューズとからなるものであって、前記ダンパーフレーム枠の一端側から延設し、前記建物の内壁または外壁に固定保持する複数の取付け脚を設けたので、フード形状に関わらず、外壁に固定保持できる共通形状の複数の取付け脚をダンパーフレーム枠に延設して設けることにより、製造上個々に金型投資が不要となり、製造コストも低減でき、壁面への取付けも換気計画に応じて室内側、屋外側を問わずどちらからも取り付けられ、交換取付けなどのメンテナンス性も向上できるという作用を有する。
【００２７】
また、請求項３に記載の発明は、請求項１または２に記載の防火ダンパー装置について、取付け脚を建物の壁面に固定することとしたので、壁面に取付けるためのフランジ部をダンパーフレーム枠に設ける必要がなく、金型投資費用を低減することができる。
【００２８】
また、請求項４に記載の発明は、請求項３に記載の防火ダンパー装置について、ダンパーフレーム枠の他端側から壁面開口部内に前記ダンパーフレーム枠を挿入したときに、前記ダンパーフレーム枠の一端側に設けられた取付け脚の端部が前記壁面開口部の周辺に当接して建物の壁面に固定されるととしたので、簡単な構成で、ダンパーフレーム枠に壁面に取付けるためのフランジ部を設けたのと同様の効果を奏することができる。
【００２９】
また、請求項５に記載の発明は、請求項１〜４のいずれかに記載の防火ダンパー装置に、ダンパーフレーム枠を壁面開口部内に収納したときに前記壁面開口部の内側から押圧して取着される取付け手段を設けたことにより、防火ダンパー装置の取付け施工性や取替えメンテナンス性を向上することができる。
【００３０】
また、請求項６に記載の発明は、請求項１〜４のいずれかに記載の防火ダンパー装置に、取付け脚自体を弾性変形させて壁面開口部の内側に押圧させて固定することにより、複数個の抜け止め金具を別途設ける必要もなく、より簡単な構造で、ダクトの内径側への取り付けができるという作用を有する。
【００３１】
また、請求項７に記載の発明は、請求項１〜６のいずれかに記載の防火ダンパー装置に、取付け脚に屋外フードあるいは室内換気用グリルを取付ける取付け部を設けたことにより、防火ダンパー装置は壁面の内外を問わずどちらからも取付け施工ができることと合わせ、屋外フードあるいは室内換気用グリルは防火ダンパー装置へ任意に取り付け可能であるので、交換作業などのメンテナンス性を高めることができるという作用を有する。
【００３２】
また、請求項８に記載の発明は、請求項７に記載の防火ダンパー装置に、取付け脚の取付け部を弾性変形させて屋外フードあるいは室内換気用グリルを嵌合取り付けすることにより、ネジ止めが不要で、美観上すっきりしたものとなり、さらに屋外での高所作業でも、工具を使ったネジ止めなどが不要なので、作業性が良くなるという作用を有する。
【００３３】
また、請求項９に記載の屋外フードの発明は、請求項１〜８のいずれかに記載の防火ダンパー装置を備えたことにより、取付け施工性およびメンテナンス性の高い屋外フードが得られることとなる。
【００３４】
また、請求項１０に記載の発明は、請求項９に記載の屋外フードについて、建物の外壁に固定される屋外フードフレームを取付け脚と外壁面とで挟むように固定することにより、寒冷地仕様でダクトの外径側接続の屋外フードの場合、従来は中間取付防火ダンパーを別個にダクトの通気路に装着し対応する必要があったが、取付け脚を有する防火ダンパー付屋外フードを一体に用意することができ、ダクトの外径側接続の方式にもかかわらず、防火設備として有効に機能する、屋外フードを提供することができる。
【００３５】
以下、本発明の実施の形態について図面を参照しながら説明する。
【００３６】
（実施の形態１）
図１および図２に示すように、本発明の防火ダンパー装置１は、その主な構成として、
建物の壁面に設けられる壁面開口部３内に収納され、両端に開口部を設けて通風路Ａを形成する筒状部を有するダンパーフレーム枠５と、開いたときに通風路Ａを閉鎖するように設けられるダンパー７と、このダンパー７を通風路Ａを開放した状態で保持する熱溶融形の温度ヒューズ９と、ダンパーフレーム枠５の一端側に突設する複数の取付け脚１０とを備えている。
【００３７】
また、ダンパーフレーム枠５の内側には通風路Ａを横断するように支軸６を設け、この支軸６に対して略対称に回動自在に２枚のダンパー７を設け、支軸６を介して、２枚のダンパー７を常時押し広げて通風路を遮断する方向に付勢するスプリング８に抗して２枚のダンパー７の間に一定の間隔を保ち互いに重なる状態に繋止する熱溶融形の温度ヒューズ９で防火ダンパーは組み立て自立するように構成され、さらにダンパーフレーム枠５の一端側から延設して建物の壁面２または内壁面に固定保持できるよう複数の取付け脚１０を設けている。
【００３８】
また、取付け脚１０は、その取付け脚１０の壁面開口部３に貫通し配置して固定されたダクト４の内径側に外壁面開口側１１あるいは内壁面開口側１２より取付け脚１０の取付け部１３に届く一定の深さまで防火ダンパー装置１を挿入、収納したときに、ダクト４の内側に沿って押圧して取着される取付け手段１４を備えた構成としている。
【００３９】
そして、建物の屋外側１５と室内側１６を連通するように壁面２に開口された壁面開口部３にダクト４が差し込まれており、防火ダンパー装置１を壁面２ならびにダクト４に取付け施工する際には、屋外側１５より、ダンパーフレーム枠５の取付け脚１０が突設しない側から挿入し、ダンパーフレーム枠５の取付け脚１０の端部に設けた取付け部１３を、壁面開口部３の周辺に当接させるとともに、取付け脚１０に設けられたダクト４の内径側に沿って押圧して取り付ける取付け手段１４によって防火ダンパー装置１はダクト４に固定されることとなる。
【００４０】
また、図２に示すように、別の取付け手段として取付け脚１０の端部に設けられ、壁面開口部３の周辺に当接させる取付け部１３にネジ止め穴１７を設けて壁面２にねじ止め固定する構成とする。
【００４１】
上記構成において、建物の屋外側１５または屋内側１６からの火災発生により、建物の防火構造を形成する壁面２を貫通する壁面開口部３に設けられた防火ダンパー装置１に火や熱が加えられた場合に、直接火や熱にさらされた熱溶融形の温度ヒューズ９が溶融温度に達すると熱溶融するとともに、２枚のダンパー７を常時押し広げて、通風路Ａを遮断する方向に付勢するスプリング８の働きでダンパー７はダンパーフレーム枠５に当接する位置まで押し広げられ、通風路Ａは遮断されることとなり、建物の屋内側１６または屋外側１５からの火災による火や熱を遮断する建物の火災拡大防止上、有効な防火設備である。
【００４２】
また、防火ダンパー装置１は共通形状の複数の細長帯状の板材である取付け脚１０をダンパーフレーム枠５の一端側から延設して設けたものであり、従来のようなフードの丸形、深形、角形など形状に対応した一体絞り型のダクト接続フレームが不要となり、共通形状の複数の折り板状の取付け脚１０は、細長帯状の板材を折り曲げるだけの製造工程ですみ、大掛かりな金型投資が不要となり、防火ダンパー装置１をダクト４あるいは壁面２に固定する上で最小限の材料で製造コストも低減でき、部品の共通化が図れるとともに、軽量コンパクトなものとなる。
【００４３】
このように本発明の実地の形態１の防火ダンパー装置によれば、建物の屋外側１５または屋内側１６からの火災発生により、建物を貫通する壁面開口部３内に収納された防火ダンパー装置１に火熱が加えられた場合に、ダンパーフレーム枠５の一端側から延設して、建物の内外壁に固定保持できるよう複数の取付け脚１０を防火ダンパー装置１に設けることにより、防火ダンパー装置１は、従来はフードの丸形、深形、角形など形状に対応した一体絞り型のダクト接続フレームが個々に必要であったが、折り板状の取付け脚１０は、細長帯状の板材を一定の角度で折り曲げるだけの工程で製造でき、防火ダンパー装置１をダクト４あるいは壁面２に固定する上で最小限の材料で材料コストも低減でき、フード形状に応じた個々の金型投資が不要となり、部品の共通化が図れるとともに、軽量コンパクトな、屋外側１５または屋内側１６からの火災による火熱を遮断して、建物の火災拡大防止上有効な防火設備とすることができる。
【００４４】
また、取付け脚１０を建物の壁面２に固定することとしたので、壁面２に取付けるためのフランジ部をダンパーフレーム枠５に設ける必要がないという効果を有する。
【００４５】
また、ダンパーフレーム枠５の他端側から壁面開口部３内にダンパーフレーム枠５を挿入したときに、ダンパーフレーム枠５の一端側に設けられた取付け脚１０の端部が壁面開口部３の周辺に当接して建物の壁面２に固定されることにより、簡単な構成で、ダンパーフレーム枠５に壁面２に取付けるためのフランジ部を設けたのと同様の効果を奏することができる。
【００４６】
また、ダンパーフレーム枠５を壁面開口部３内に収納したときに壁面開口部３の内側から押圧して取着される取付け手段１４を設けたことにより、防火ダンパー装置１の取付け施工性や取替えメンテナンス性を向上することができる。
【００４７】
（実施の形態２）
図３〜図５に示すように、細長帯状の板材を折り曲げ、ダンパーフレーム枠５の一端側から上下または左右に位置して延設した複数の取付け脚１０の端部に、屋外フード１８あるいは室内換気用グリル１９を取付けるようため、一定の角度と長さで外側に延設して取付け部１３を設けた構成とする。また、他の構成については、実施の形態１と同様であり、その説明は省略する。
【００４８】
また、防火ダンパー装置１に屋外フード１８あるいは室内換気用グリル１９を装着することが可能な、複数の取付け脚１０を設けているものであり、複数の取付け脚１０の取付け部１３は屋外フード１８あるいは室内換気用グリル１９の形状に沿い一定の角度と長さで外側に延設し、屋外フード１８あるいは室内換気用グリル１９を取付けるネジ用固定穴２１を備えており、屋外フード１８あるいは室内換気用グリル１９は取付け部１３のネジ用固定穴に２１に相当する部分にネジ用の穴２２を設けられ、ネジによって複数の取付け脚１０の取付け部１３に固定される。そして、熱溶融形の温度ヒューズ９の交換時にはネジを外したうえ、屋外フード１８あるいは室内換気用グリル１９を取り外し、熱溶融形の温度ヒューズ９を交換することができる。
【００４９】
熱溶融形の温度ヒューズ９の交換の後、屋外フード１８あるいは室内換気用グリル１９はネジ止め用の穴２２を介して、複数の取付け脚１０に設けられた屋外フード１８あるいは室内換気用グリル１９のねじ用固定穴２１に取り付けることにより、建物への、屋外フード１８あるいは室内換気用グリル１９の取り付けが完了する。
【００５０】
また、図３に示すように、深形形状の屋外フードなどに対応する場合では、複数の取付け脚１０のネジ用固定穴が同心円の取付けピッチにならない場合は、複数の取付け脚１０の一部を他の取付け脚１０よりも長くすることになる。
【００５１】
また、図５に示すように、複数の取付け脚１０のうちのひとつの取付け部１３の一方側に屋外フード１８または室内換気用グリル１９を上方に引っ掛かけるための凸状片２３を備え、他方側の取付け脚１０にねじ用固定穴２１を備えることで、屋外フード１８または室内換気用グリル１９に形成された係止部に凸状片２３を引っ掛けた後、他方側の取付け脚１０をネジ止めすることによって防火ダンパー装置１を屋外フード１８または室内換気用グリル１９に固定することができる。
【００５２】
このように本発明の形態２の防火ダンパー装置１によれば、防火ダンパー装置１に屋外フード１８あるいは室内換気用グリル１９を装着することが可能となるように複数の取付け脚１０に取付け部１３を設け、取付け部１３は屋外フード１８あるいは室内換気用グリル１９の形状に沿い一定の角度と長さで外側に延設して、屋外フード１８あるいは室内換気用グリル１９を取付けるネジ用固定穴２１を備えているので、取り付け脚１０に屋外フード１８あるいは室内換気用グリル１９を装着することが可能となり、壁面２の内外を問わずプランに応じて自在に取り付け施工ができる。例えば、高層住宅の外壁側から取付けられた場合の防火ダンパー装置１のメンテナンスは、通常、屋外フード１８を取り外した後に屋外側１５より行うが、高所作業で危険が伴い、屋外側１５からは足場を組まなければできないという問題がある。他方、屋内側１６から壁面２に取付けられた場合の室内換気用グリル１９を装着した防火ダンパー装置１のメンテナンスは、室内換気用グリル１９を取り外した後、屋内側１６より行えて作業が安全でかつ容易となる。一方、低層住宅の１階部分や集合住宅でもベランダ側、渡り廊下側の外壁に防火ダンパー装置１を取り付ける場合は屋内側、屋外側のどちらでも施工は容易であり、工事の段取りに合わせて、防火ダンパー装置１に屋外フード１８あるいは室内換気用グリル１９を任意自在に取り付けることが可能となる。
【００５３】
また、フード形状に関わらず、ダンパーフレーム枠５に共通形状の複数の取付け脚１０を設けることにより、製造上個々に金型投資が不要となり、製造コストも低減でき、軽量コンパクトな、壁面２への取付けも内外を問わず可能となる。さらに熱溶融形の温度ヒューズ９の取り付け交換が、壁面２の内外を問わずプランに応じて自在にでき、メンテナンス性も向上できる。
【００５４】
（実施の形態３）
図６に示すように、ダンパーフレーム枠５の一端側から上下または左右に位置して延設した複数の取付け脚１０自体は、細長形状のバネ板材からなり、外側に広がる力が働くよう一定のスプリング性を持たして配置され、複数の取付け脚１０自体を弾性変形させた状態で壁面開口部３内に装着されるダクトの内径側２４を押圧し、防火ダンパー装置１を押圧固定する構成としたものである。また、他の構成については、実施の形態１と同様であり、その説明は省略する。
【００５５】
防火ダンパー装置１をダクトの内径側２４に挿入時、ダンパーフレーム枠５のダンパー開閉側に延設して設けた複数の取付け脚１０は、ダクトの内径側２４に内接密着して固定させることができるような間隔でそれぞれが配置される。また、同じ公称径のダクトであればそのダクトの種類に関わらず異なる内径寸法のダクトにも押圧固定できるよう、それ自体が外側に広がるスプリング性を有し、なおかつダクト４への接触部分が滑りにくいよう、例えば、取付け脚１０の一部を外側に切り起こして先尖り形状とし、ダクトへの接触が点接触となる固定爪２５を設けた構成としている。
【００５６】
このように本発明の実施の形態３の防火ダンパー装置によれば、取付け脚１０自体に細長形状のバネ板材を折り曲げて、外側に広がる力が働くよう弾性変形させて壁面開口部内に配置させることにより、抜け止金具などの従来の複数個の取付け手段を別途別部品として設ける必要もなく、取付け脚１０自体に取付け機能を有し、より簡単な構造で、ダクトの内径側２４への取り付けを行うことができる。
【００５７】
（実施の形態４）
図７および図８に示すように、取付け脚１０の取付け部１３を弾性変形させて屋外フード１８あるいは室内換気用グリル１９を嵌合取り付けする構成とする。そして、取付け脚１０の取付け部１３は細長形状のバネ板材を折り曲げてできておりその先端部に凸形状のフック２６を備え、屋外フード１８あるいは室内換気用グリル１９を前方から押し込んだ時、屋外フード１８あるいは室内換気用グリル１９に設けられた凹形状の取付片２７に納まるよう弾性変形させて、屋外フード１８あるいは室内換気用グリル１９を取り付けることとなる。また、他の構成については、実施の形態１と同様であり、その説明は省略する。
【００５８】
また、防火ダンパー装置１の複数の取付け脚１０の取付け部１３には、屋外フード１８あるいは室内換気用グリル１９を着脱できるよう、屋外フード１８あるいは室内換気用グリル１９を防火ダンパー装置１の前方から押し込んだ時、弾性変形して取付けできる凸形状のフック２６を備えており、他方、屋外フード１８あるいは室内換気用グリル１９には、取付け脚１０の取付け部１３に設けた凸形状のフック２６に相対する位置に、凸形状フック２６を引っ掛け固定する凹形状の取付片２７を備えたものであって、防火ダンパー装置１を壁面開口部３に挿入固定した後、取付け脚１０の取付け部１３に設けた凸形状のフック２６に相対する位置に、屋外フード１８あるいは室内換気用グリル１９を前方より押し込んで弾性変形して固定されることとなる。
【００５９】
なお、図９に示すように、複数の取付け脚１０の取付け部１３は細長形状のバネ板材を折り曲げてできており、その先端部には、屋外フード１８あるいは室内換気用グリル１９を前方から押し込んだ時、屋外フード１８あるいは室内換気用グリル１９に設けられた丸棒でコの字形状の取付片２７Ａに食いつくように、２片に先割れして互い違いにカール形状を成すフック２６Ａを備えた構成によって、取付け手段を変更したとしてもその効果は同様のものである。
【００６０】
このように本発明の実施の形態４の防火ダンパー装置１によれば、屋外フード１８あるいは室内換気用グリル（図示せず）を前方から押し込んだ時、屋外フード１８あるいは室内換気用グリルに設けられた凹形状の取付片２７に納まるよう弾性変形させて、屋外フード１８あるいは室内換気用グリル（図示せず）を取り付ける構成としているので、ネジ止めが不要で、ネジ頭のない美観上すっきりしたものとなり、さらにドライバーを使用したネジ止め作業がなくなり、屋外の高所での作業性を良くすることができる。
【００６１】
また、製品出荷時は防火ダンパー装置１と屋外フード１８あるいは室内換気用グリル１９がセット商品あるいは別売の商品であっても、施工現場にて互いにセットした状態で壁面２への取付けができるし、別売の場合は最初に防火ダンパー装置１を壁面２に取付けた後、屋外フード１８あるいは室内換気用グリル１９の取付けも可能である。
【００６２】
（実施の形態５）
図１０に示すように、建物を貫通する壁面開口部３内に収納される防火ダンパー装置１Ａと、外壁面開口側１１に設けられる屋外フード１８Ａとがセットで構成された防火ダンパー装置付屋外フードを構成する。つまり、前述の実施の形態１〜４に記載した防火ダンパー装置と外壁側に設けた屋外フードとからなるものである。
【００６３】
屋外フード１８Ａのベース構成する部材であり、外壁に固定される屋外フードフレーム２９は、屋外側開口部より所定の長さだけ突出させたダクト３０Ｂの外周にその内周部が密着するように設けたシールパッキン３１と一体に設けられ、屋外フードフレーム１８Ａを取付け脚１０Ｂと外壁面とで挟む状態にして、屋外フードフレーム１８Ａおよび取付け脚１０Ｂを屋外側前面から外壁面に向けてネジ止め固定して取付ける構成とする。
【００６４】
また、寒冷地においては壁面の凍害を避けるため、従来の屋外フードのダクトへの取付けと異なり、図１０に示すような構成の屋外フードを使用するとよい。この屋外フード１８Ａと複数の取付け脚１０Ｂを有する防火ダンパー装置１Ａを壁面２に取付ける場合、屋外フード１８Ａの屋外側に位置するフード部３４と壁面側の前面に位置する屋外フードフレーム２９とを取り外した後、屋外フードフレーム２９を、屋外側開口部より所定の長さだけ突出させたダクト３０Ｂの外周側に屋外フードフレーム２９と一体に設けられたシールパッキン３１を介して密着挿入し、壁面２に仮固定する。その後、防火ダンパー装置１Ａをダクト３０Ｂの内周側に挿入し、取付け脚１０Ｂを屋外フードフレーム２９の屋外側前面に位置させた上、取付け脚１０Ｂと壁面２との間に挟まれた状態で取付け脚１０Ｂならびに屋外フードフレーム２９のそれぞれに設けた同一ピッチのネジ止め用穴を介して、取付け脚１０Ｂと屋外フードフレーム２９は、壁面２に共にネジ止めされることとなる。さらにフード部３４を屋外フードフレーム２９にネジ止めなどで固定し、防火ダンパー装置付屋外フードの取付けが完了する。
【００６５】
このように本発明の実施の形態５の防火ダンパー装置によれば、防火ダンパー装置１Ａをセットで設けた屋外フード１８Ａの外壁に固定される屋外フードフレーム２９を、外壁面とで挟むようにして、防火ダンパー装置１Ａの取付け脚１０Ｂを屋外フードフレーム２９の屋外側前面に、ネジ止め固定する取付け構成としているので、従来、防火設備が必要とされる地域において使用されていた別売の中間取付け防火ダンパーを別途用意する必要もなく、専用の防火ダンパー装置付屋外フードを提供することが可能となる。
【００６６】
また、防火ダンパー装置１Ａが組み込まれた屋外フード１８Ａとセットになった防火ダンパー装置付屋外フードとすることにより、建物の屋外側１５または屋内側１６からの火災発生により、屋外フードの開口部側から建物の防火構造を形成する壁面２を貫通する壁面開口部３に設けられた防火ダンパー装置１Ａに火や熱が加えられた場合に、直接火や熱にさらされた熱溶融形の温度ヒューズ９が熱溶融するとともに、２枚のダンパー７を常時押し広げて、通風路Ａを遮断する方向に付勢するスプリング８の働きでダンパー７はダンパーフレーム枠５に当接する位置まで押し広げられ、通風路Ａは遮断されることとなり、建物の屋内側１５または屋外側１６からの火災による火や熱を遮断することができ、建物の火災拡大防止上、有効な防火ダンパー装置付屋外フードが提供できる。
【産業上の利用可能性】
【００６７】
本発明は、防火ダンパー機能のないダンパーフレーム枠であっても本発明の取付け脚を有することで、屋外フードや室内換気グリルに広く利用できるものである。
【図面の簡単な説明】
【００６８】
【図１】本発明の実施の形態１の防火ダンパー装置の構成を示す断面図
【図２】同防火ダンパー装置の構成を示す斜視図
【図３】本発明の実施の形態２の防火ダンパー装置に深形フードを取り付ける場合の構成を示す斜視図
【図４】同防火ダンパー装置に室内換気用グリルを取り付ける場合の構成を示す斜視図
【図５】同防火ダンパー装置に深形フードを取り付ける場合の他の構成を示す斜視図
【図６】本発明の実施の形態３の防火ダンパー装置の構成を示す斜視図
【図７】本発明の実施の形態４の防火ダンパー装置の構成を示す断面図
【図８】同防火ダンパー装置の部分拡大断面図
【図９】同防火ダンパー装置の他の構成を示す斜視図
【図１０】本発明の実施の形態５の防火ダンパー装置の構成を示す断面図
【図１１】従来の防火ダンパー装置を示す略断面図
【図１２】同防火ダンパー装置を示す略断面図
【符号の説明】
【００６９】
１      防火ダンパー装置
１Ａ    防火ダンパー装置
３      壁面開口部
５      ダンパーフレーム枠
６      支軸
７      ダンパー
８      スプリング
９      温度ヒューズ
１０    取付け脚
１３    取付け部
１４    取付け手段
１８    屋外フード
１８Ａ  屋外フード
１９    室内換気用グリル
２９    屋外フードフレーム
Ａ      通風路
【図１】
2005164186.tif 000003
【図２】
2005164186.tif 000004
【図３】
2005164186.tif 000005
【図４】
2005164186.tif 000006
【図５】
2005164186.tif 000007
【図６】
2005164186.tif 000008
【図７】
2005164186.tif 000009
【図８】
2005164186.tif 000010
【図９】
2005164186.tif 000011
【図１０】
2005164186.tif 000012
【図１１】
2005164186.tif 000013
【図１２】
2005164186.tif 000014